(57)【特許請求の範囲】
【請求項１】
合成樹脂フィルムからなる袋本体と、
この袋本体の背面側の上部に装着される、合成樹脂によって形成された可撓性を有する補強シートとを備え、
前記補強シート及び前記袋本体における前記補強シートに対応する部分には、取手孔が形成されており、
前記補強シートまたは前記袋本体における前記補強シートに対応する部分には、前記袋本体の前面側から目視可能な表示が施されており、
前記補強シートが、前記袋本体内に収容される自立性容器にかかる高さ位置まで下方側に伸びている自立性容器収容袋。
【発明の詳細な説明】
【０００１】
【発明の属する技術分野】
この発明は、自立性容器を収容した状態で陳列すると共に持ち運ぶことのできる自立性容器収容袋に関する。
【０００２】
【従来の技術】
例えば、ポンプボトル等の自立性容器に充填されたシャンプーやリンス等の商品をセット販売する場合や、ポンプボトル等の自立性容器に充填されたシャンプーとパウチ容器等に充填された詰め替え用のシャンプーとをセット販売する場合には、これらを持ち運び可能な自立性容器収容袋に予め収容した状態で販売されることがあり、こういった自立性容器収容袋としては、図３に示すようなものがある。
【０００３】
この自立性容器収容袋５０は、同図（ａ）、（ｂ）に示すように、ポリプロピレン等の合成樹脂フィルムによって形成された、上部開口から自立性容器等を収容することのできる袋本体５１と、この袋本体５１の上部内面に装着された紙等によって形成された補強シート５５とから構成されている。
【０００４】
前記袋本体５１は、同図（ｂ）に示すように、表裏一対の外装フィルム５２、５３及び両外装フィルム５２、５３の下部から内側に折り込まれてガセット部を形成するガセットフィルム５４から構成されており、両外装フィルム５２、５３は、その上部にそれぞれの内面側に折り返された折り返し部５２ａ、５３ａを有している。
【０００５】
外装フィルム５２、５３の折り返し部５２ａ、５３ａは、その下縁部が外装フィルム５２、５３にそれぞれヒートシールされており、前記補強シート５５は外装フィルム５２、５３の折り返し部５２ａ、５３ａにそれぞれ挟み込まれるように装着されている。
【０００６】
また、袋本体５１における補強シート５５が装着された部分には、取手孔となる切目５０ａが形成されており、この自立性容器収容袋５０に自立性容器に充填された商品等を収容した状態で、取手孔を掴んで持ち運ぶことができるようになっている。
【０００７】
【発明が解決しようとする課題】
ところで、上述したような自立性容器収容袋５０は、切目５０ａによって形成される取手孔部分を補強するために、袋本体５１の上部にのみ補強シート５５が装着されているので、シャンプーやリンス等の自立性容器に充填された商品を、この自立性容器収容袋５０に収容した状態で店頭に陳列すると、図３（ｃ）に示すように、補強シート５５が装着されている袋本体５１の上部が、その重みで倒れてしまい見栄えが悪くなると共に、補強シート５５部分にキャッチフレーズ等の表示を施した場合でもその表示が見えにくく、宣伝広告効果が半減するといった問題がある。
【０００８】
また、シャンプーやリンス等の自立性容器に充填された商品をセット販売する場合は、予め上述したような自立性容器収容袋５０に商品を収容し、これを箱詰めした状態で輸送するのが一般的であるが、箱詰めされた状態では、図４に示すように、補強シート５５が装着された取手部分が折り曲げられた状態で包装箱６０に収容されるので、輸送段階で補強シート５５に複雑な折り癖がつき、包装箱６０から取り出して店頭に陳列する際、さらに見栄えが悪くなるといった問題がある。
【０００９】
そこで、この発明の課題は、陳列した状態で見栄えがよく、宣伝広告効果に優れた自立性容器収容袋を提供することにある。
【００１０】
【課題を解決するための手段及びその効果】
上記の課題を解決するため、この発明は、合成樹脂フィルムからなる袋本体と、この袋本体の背面側の上部に装着される、合成樹脂によって形成された可撓性を有する補強シートとを備え、前記補強シート及び前記袋本体における前記補強シートに対応する部分には、取手孔が形成されており、前記補強シートまたは前記袋本体における前記補強シートに対応する部分には、前記袋本体の前面側から目視可能な表示が施されており、前記補強シートが、前記袋本体内に収容される自立性容器にかかる高さ位置まで下方側に伸びている自立性容器収容袋を提供するものである。なお、ここにいう「取手孔」は、完全に孔が形成されているもの以外に、取手孔を形成可能な切目のみを有しているものも含まれる。
【００１１】
以上のように構成された自立性容器収容袋は、袋本体の背面側の上部に装着された補強シートが、袋本体内に収容される自立性容器にかかる高さ位置まで下方側に伸びているので、袋本体内に自立性容器が収容された状態では、収容された自立性容器によって、補強シートが装着された袋本体の上部が起立した状態に支持される。従って、自立性容器に充填された商品を、この自立性容器収容袋に収容した状態で店頭に陳列した場合、補強シートまたは袋本体における補強シートに対応する部分に施された表示を、袋本体の前面側から確実に目視することができる。
【００１２】
また、袋本体の上部に装着された補強シートは、合成樹脂によって形成され、しかも、可撓性を有しているので、自立性容器に充填された商品をこの自立性容器収容袋に収容した状態で箱詰めして輸送した場合でも、輸送段階で補強シートに折り癖がつきにくく、箱から取り出して店頭に陳列した状態では、補強シートが元のフラットな状態に復元されるので、見栄えが悪くなることもない。
【００１３】
【発明の実施の形態】
以下、実施の形態について図面を参照して説明する。図１（ａ）、（ｂ）、（ｃ）に示すように、この自立性容器収容袋１は、厚さ４０〜１００μｍ程度のポリプロピレンフィルムやポリプロピレン／ポリエチレン／ポリプロピレン等の多層フィルムによって形成された、上部開口から自立性容器等を収容することのできる透明な袋本体１０と、この袋本体１０の背面側の上部内面に装着された、ポリプロピレン系合成紙やポリプロピレン系発泡シート等の可撓性を有する合成樹脂シートからなる厚さ１２０〜３００μｍの補強シート２０とから構成されている。
【００１４】
前記袋本体１０は、表裏一対の外装フィルム１１、１２及び両外装フィルム１１、１２の下部から内側に折り込まれてガセット部を形成するガセットフィルム１３から構成されており、背面側となる外装フィルム１２は、その上部に内面側に折り返された折り返し部１２ａを有している。
【００１５】
前記外装フィルム１２の折り返し部１２ａには、同図（ｃ）に示すように、前記補強シート２０が挟み込まれた状態で、折り返し部１２ａの中間部がその全幅にわたって補強シート２０と共に外装フィルム１２にヒートシールされており、外装フィルム１２の折り返し部１２ａ及び補強シート２０は、図２（ａ）、（ｂ）に示すように、この自立性容器収容袋１にボトル等の自立性容器Ｂを収容した状態で、収容された自立性容器Ｂの胴部にかかる高さ位置まで下方側に伸びている。
【００１６】
前記外装フィルム１１、１２、折り返し部１２ａ及び補強シート２０には、取手孔となる切目１ａが形成されており、自立性容器に充填された商品等をこの自立性容器収容袋１に収容した状態で、取手孔を掴んで持ち運ぶことができるようになっている。
【００１７】
前記補強シート２０の前面には、収容される商品の宣伝広告効果が発揮されるように、商品名やキャッチフレーズ等を印刷した表示部２１が形成されており、この表示部２１は透明な外装フィルム１１及び折り返し部１２ａを通して袋本体１０の前面側から目視することができるようになっている（図１（ａ）参照）。
【００１８】
以上のように構成された自立性容器収容袋１に、ボトル等の自立性容器Ｂに充填されたシャンプーやリンスをセットで収容した状態で店頭に陳列した場合、図２（ａ）、（ｂ）に示すように、袋本体１０の背面側の外装シート１２に装着された補強シート２０が、自立性容器Ｂの胴部にかかる高さ位置まで下方側に伸びているので、収容された自立性容器Ｂによって、補強シート２０が起立状態に支持され、補強シート２０の前面に形成された表示部２１を透明な外装フィルム１１及び折り返し部１２ａを通して袋本体１０の前面側から確実に目視することができる。これによって、補強シート２０に形成された表示部２１による広告宣伝効果が最大限に発揮されることになる。
【００１９】
また、袋本体１０の背面側の上部に装着された補強シート２０は、可撓性を有する合成樹脂シートによって形成されているので、自立性容器Ｂに充填されたシャンプー等の商品をこの自立性容器収容袋１に収容した状態で箱詰めして輸送した場合でも、輸送段階で補強シート２０に折り癖がつきにくく、箱から取り出して店頭に陳列した状態では、補強シート２０が元のフラットな状態に復元されるので、見栄えが悪くなることもない。
【００２０】
なお、上述した実施形態では、袋本体１０として底にガセット部を有するボトムガセット袋を採用しているが、袋本体１０はこれに限定されるものではなく、ガセット部のない平袋を採用することも可能である。
【００２１】
また、上述した実施形態では、補強シート２０の前面に表示部２１を形成しているが、袋本体１０の背面側を構成する外装フィルム１２の折り返し部１２ａに表示部を形成することも可能である。
【００２２】
また、補強シート２０は、少なくとも、収容された自立性容器Ｂによって起立状態に支持されるように、自立性容器Ｂの一部にかかるような高さ位置まで下方側に伸びていればよいが、袋本体１０の背面側となる外装シート１２の下端にまで伸びる構成、即ち、外装シート１２の前面を補強シートが覆うような採用することも可能である。
【００２３】
また、上述した実施形態では、外装シート１２の折り返し部１２ａに挟み込むように補強シート２０を装着しているが、必ずしもこのような構成を採用する必要はなく、外装シート１２の内面または外面に直接補強シート２０を貼着することも可能である。外装シート１２の内面に補強シート２０を貼着した場合は、少なくとも前面側の外装シート１１が透明であればよく、背面側の外装シート１２は必ずしも透明である必要はない。
【００２４】
また、上述した実施形態では、取手孔を形成可能な切目１ａを設けているが、、完全に開口された取手孔を形成することも可能である。
【図面の簡単な説明】
【図１】（ａ）はこの発明にかかる自立性容器収容袋の一実施形態を示す正面図、（ｂ）は同上の自立性容器収容袋を示す裏面図、（ｃ）は同上の自立性容器収容袋を示す断面図である。
【図２】（ａ）は同上の自立性容器収容袋に、自立性容器に充填された商品を収容した状態を示す正面図、（ｂ）は同上の自立性容器収容袋に、自立性容器に充填された商品を収容した状態を示す断面図である。
【図３】（ａ）は従来の自立性容器収容袋を示す正面図、（ｂ）は同上の自立性容器収容袋を示す断面図、（ｃ）は同上の自立性容器収容袋に、自立性容器に充填された商品を収容した状態を示す断面図である。
【図４】自立性容器に充填された商品を従来の自立性容器収容袋に収容し、これを箱詰めした状態を示す断面図である。
【符号の説明】
１  自立性容器収容袋
１ａ  切目
１０  袋本体
１１、１２  外装フィルム
１２ａ  折り返し部
１３  ガセットフィルム
２０  補強シート
２１  表示部
Ｂ  自立性容器
【図１】
0004287552.tif 000002
【図２】
0004287552.tif 000003
【図３】
0004287552.tif 000004
【図４】
0004287552.tif 000005